(57)【要約】【課題】  内側板４１の位置を設定するための基準位置を容易に設定することができるエスカレータの据付用治具３１を得る。【解決手段】  基体３２の脚部を二分し、一の脚部３３を前輪用レール１５の傾斜部に当接させ、他の脚部３５を、後輪用レール１８の傾斜部に当接させ、かつ、何れか一方の脚部の側面を、レールのフランジに当接させて基体３２を立設し、この基体３２の頭部に内側板４１の基準位置を設定する位置設定手段３７、３８を設けたもので、前輪用レール１５及び後輪用レール１８の双方を基準にして内側板４１の位置を設定するようにしたものである。【選択図】        図１
2005162346.tif 000002
【特許請求の範囲】
【請求項１】
建物に設置された本体枠に前輪用レールと後輪用レールが取り付けられ、上記各レールにそれぞれ前輪及び後輪を転動させて踏段を循環させるエスカレータの上記踏段の両側部で上記本体枠に立設される内側板の位置を設定するエスカレータの据付用治具において、脚部が二分され、一の脚部を上記前輪用レールの傾斜部に当接させ、他の脚部を上記後輪用レールの傾斜部に当接させ、かつ、少なくとも何れか一方の上記脚部の側面を、上記レールのフランジに当接させて立設された基体と、この基体に設けられて上記内側板の基準位置を設定する位置設定手段とからなるエスカレータの据付用治具。
【請求項２】
建物に設置された本体枠に前輪用レールと後輪用レールが取り付けられ、上記各レールにそれぞれ前輪及び後輪を転動させて踏段を循環させるエスカレータの上記踏段の両側部で上記本体枠に立設される内側板の位置を設定するエスカレータの据付用治具において、脚部を上記前輪用レール及び上記後輪用レールのいずれか一方のレールの傾斜部に当接させ、かつ、上記脚部の側面を、上記転動面から直立する上記レールのフランジに当接させて立設された基体と、この基体の頭部に設けられて上記内側板の基準位置を設定する位置設定手段とからなるエスカレータの据付用治具。
【請求項３】
建物に設置された本体枠に移動自在に取り付けられた踏段を循環させるエスカレータの上記踏段の両側部で上記本体枠に立設される内側板の位置を設定するエスカレータの据付用治具において、上記踏段の上面に底面を当接させて上記踏段上に設置された基体と、この基体から垂下されて上記踏段の側面に当接して上記基体の左右方向の位置決めをする側部当接板と、上記基体から垂下されて上記踏段の後端に当接して上記基体の前後方向の位置決めをする後部当接板と、上記基体に設けられて上記内側板の基準位置を設定する位置設定手段とからなるエスカレータの据付用治具。
【請求項４】
基体を、エスカレータの傾斜方向へ向けて上位と下位の２ヶ所に立設し、位置設定手段を、上記基体間に張設されたピアノ線とした請求項１から３のいずれかに記載のエスカレータの据付用治具。
【請求項５】
位置設定手段を、基体からエスカレータの傾斜方向へ向けてレーザ光線を発する発光体とした請求項１から３のいずれかに記載のエスカレータの据付用治具。
【請求項６】
踏段を移動させることにより上記踏段と共に基体を移動させて順次内側板の基準位置を設定するようにした請求項３に記載の据付用治具を用いたエスカレータの内側板の据付方法。
【発明の詳細な説明】
【技術分野】
【０００１】
この発明は、エスカレータの欄干を構成する内側板の位置を設定するための据付用治具に関するものである。
【背景技術】
【０００２】
エスカレータが老朽化すると、改修工事によって欄干部分を取り替えて意匠の刷新が図られている。
図９及び図１０は、欄干部分の改修工事の一例を示すエスカレータの部分正面図である。
即ち、図９は改修前のエスカレータを示し、デッキボード４３ｍは内部に立設された支持柱（図示しない。）によって支持され、このデッキボード４３ｍに沿って移動手摺４２ｍが無端状に取り付けられている。デッキボード４３ｍとスカートガード４６ｍの間には、ステンレス板からなる内側板４１ｍが立設されている。
図１０は、図９に示すエスカレータの意匠部分、特に欄干部分を改修した後のエスカレータを示す。改修後のエスカレータは、ステンレス板に替えて強化ガラスを用いた内側板４１が本体枠（図示しない。）に取り付けられて立設されている。移動手摺４２は内側板４１に支持されて循環するようになっている。また、内側板４１とスカートガード４６の間には、内側レッジ４５が延設されている。
【０００３】
図１１から図１３は、上記エスカレータの意匠部分の改修工事において、既設の欄干部分を撤去した後に、強化ガラスからなる内側板４１を新設するための位置を設定する従来の据付用治具を示す。
即ち、１階１と２階２の間に、エスカレータの本体枠３が跨設させている。この本体枠３は、形鋼をトラス状に構成したもので、中間部がエスカレータの傾斜に合わせて傾斜した上枠４と、図１３に示したとおり、上枠４と下枠（図示しない。）とを連結する縦枠５と、この縦枠５の中間部に取り付けられた横枠６とを主要部材とする。横枠６には前輪用レール１５と後輪用レール１８が取り付けられている。前輪１２は前輪軸１３によって踏段１１の前部に係止されており、踏段チェーン１４に駆動されて前輪用レール１５の踏面上を転動して循環する。また、踏段１１の後部には後輪１６が後輪軸１７を介して取り付けられており、後輪用レール１８の踏面上を転動して循環する。
【０００４】
既設の欄干部分が撤去されたエスカレータに、図１０に示す内側板４１を取り付けるには、先ず、上枠４の傾斜部及び水平部にブラケット２１を固着する。このブラケット２１の１階側の傾斜部分に下部支持柱２７ｄを立設する。次に、２階側の水平部分に上部支持柱２７ｕを立設する。ブラケット２１の両支持柱２７ｕ、２７ｄの間に、上部ピアノ線２６ｕと下部ピアノ線２６ｄを張設する。
ここで、下部支持柱２７ｄにおける上部ピアノ線２６ｕと下部ピアノ線２６ｄの間隔ｄは、上部支持柱２７ｕにおける上部ピアノ線２６ｕと下部ピアノ線２６ｄの間隔ｄ′に対して、エスカレータの傾斜角をθとするとｄ＝ｄ′ｃｏｓθの関係にある。
このため、下部ピアノ線２６ｄを、下部支持柱２７ｄの部位でブラケット２１の上面からδの高さに張設したとすると、上部支持柱２７ｕの部位でもブラケット２１の上面からの高さδ′をδに張設する必要がある。そこで、下部支持柱２７ｄを固定し、上部支持柱２７ｕを図１１に矢印で示したとおり前後に移動させてδ′＝δとなるように位置決めをして立設しなければならない。また、両支持柱２７ｄ、２７ｕは、内側板支持具２２の位置決めをする基準となるものであり、上記位置決めと共に左右方向にも傾斜しないように立設される必要がある。
【０００５】
次に、内側板支持具２２をブラケット２１に仮止めした後、図１２及び図１３に示したとおり、スペーサ２５を介在させて固定ボルト２４でゲージ２３を内側板支持具２２に取り付ける。ゲージ２３には底辺に平行に、それぞれ上部罫書線２３ｕと下部罫書線２３ｄが刻まれている。この上部罫書線２３ｕが上部ピアノ線２６ｕと、下部罫書線２３ｄが下部ピアノ線２６ｄと、それぞれ一致するように、内側板支持具２２に４箇所で螺合して先端をブラケット２１の上面に当接された調整ボルト２８で調整してゲージ２３を直立させることにより、内側板支持具２２を位置決めする。位置決めされたならば、取付ボルト２９で内側板支持具２２をブラケット２１に締結する。
左側の内側板支持具２２を所定の位置に必要な数だけ取り付けたならば、右側の内側板支持具２２についても同様にして取り付ける。続いて内側板４１を内側板支持具２２に、スペーサ２５を介在させて固定ボルト２４で取り付ける。
【０００６】
また、既設の欄干を改修する別の工法として、一方の欄干を撤去して他方の欄干を既設のまま残す。この残された欄干を基準にして新しい欄干を設置する。次に、残された他方の欄干を撤去した後、新設された一方の欄干を基準にして他方の欄干を新設するようにして、ピアノ線を張設することなく欄干の改修工事を行うようにしたものも提案されている（例えば、特許文献１参照）。
【０００７】
【特許文献１】特開平４−７５９９６号公報（第３頁、発明の効果の欄、第１図）
【発明の開示】
【発明が解決しようとする課題】
【０００８】
エスカレータの欄干を設置するための従来の据付用治具は、上記のとおり、図１１から図１３に示したものにあっては、下部支持柱２７ｄと上部支持柱２７ｕとを、相互に関連させて立設すると共に、左右方向にも傾斜しないように立設する必要があり、ピアノ線２６ｕ、２６ｄの張設には長時間を要していた。
このため、稼動中のエスカレータの老朽化に伴う欄干部分の改修工事の場合は、利用客に長時間に亙って不便を強いることになる、という問題があった。
また、エスカレータを新規に据え付ける場合に、図１１から図１３に示した据付用治具を使用すると、ピアノ線２６ｕ、２６ｄの張設のために費用が嵩み、据付費用が高価になる、という問題もあった。
【０００９】
更に、特許文献１に記載のエスカレータの欄干部分の改修方法では、他方の欄干を残して一方の欄干のみ撤去して新しい欄干に改修した後に、他方の欄干を撤去して新設しなければならず、左右の欄干を同時に並行して改修することはできない。このため、このものにあっても改修工事に長時間を要し、利用客に多大な不便を強いる、という問題があった。
更にまた、特許文献１に記載のエスカレータの欄干部分の改修方法では、他方の欄干が設置されていることを要件とするため、左右何れの欄干も設置されていない状態で欄干を新設しなければならない新設工事には不向きである、という問題もあった。
【００１０】
この発明は、上記問題点を解決するためになされたものであり、第１の目的は、内側板の位置を設定するための基準位置を容易に設定することができるエスカレータの据付用治具を得るものである。
第２の目的は、内側板の基準位置を設定するためにピアノ線を用いる場合は、そのピアノ線を容易に張設することができるエスカレータの据付用治具を得るものである。
第３の目的は、必要部分に限ってピアノ線を張設して、他の部分における改修工事との同時並行実施を可能にして工期の短縮化を図ることができるエスカレータの据付用治具を得るものである。
第４の目的は、既設のエスカレータの欄干の改修工事に限らず、エスカレータの新設工事においても工期の短縮を図ることができるエスカレータの据付用治具を得るものである。
【課題を解決するための手段】
【００１１】
この発明に係る請求項１に記載のエスカレータの据付用治具は、内側板の基準位置を設定するもので、基体の脚部を二分し、一の脚部を前輪用レールの傾斜部に当接させ、他の脚部を、後輪用レールの傾斜部に当接させ、かつ、何れか一方の脚部の側面を、レールのフランジに当接させて基体を立設し、この基体の頭部に内側板の基準位置を設定する位置設定手段を設けたもので、前輪用レール及び後輪用レールの双方を基準にして内側板の位置を設定するようにしたものである。
【００１２】
また、この発明に係る請求項２に記載のエスカレータの据付用治具は、基体の脚部を、前輪用レール及び後輪用レールのいずれか一方のレールに当接させ、かつ、脚部の側面を、レールのフランジに当接させて基体を立設し、この基体の頭部に内側板の基準位置を設定する位置設定手段を設けたもので、前輪用レール及び後輪用レールのいずれか一方のレールを基準にして内側板の位置を設定するようにしたものである。
【００１３】
更に、この発明に係る請求項３に記載のエスカレータの据付用治具は、基体を踏段の上面に設置し、この基体から垂下した側部当接板を、踏段の側面に当接させて基体の左右方向の位置決めをし、基体から垂下した後部当接板を、踏段の後端に当接させて基体の前後方向の位置決めをし、この基体の頭部に内側板の基準位置を設定する位置設定手段を設けたもので、踏段を基準にして内側板の位置を設定するようにしたものである。
【００１４】
更にまた、この発明に係る請求項４に記載のエスカレータの据付用治具は、エスカレータの傾斜方向へ向けて上位と下位の２ヶ所に基体を立設し、この基体間にピアノ線を張設して内側板の基準位置を設定するようにしたものである。
【００１５】
更にまた、この発明に係る請求項５に記載のエスカレータの据付用治具は、基体からエスカレータの傾斜方向へ向けてレーザ光線を発する発光体を取り付け、このレーザ光線を基準にして内側板の位置を設定するようにしたものである。
【００１６】
更にまた、この発明に係る請求項６に記載のエスカレータの据付方法は、踏段を基準にして内側板の位置を設定するエスカレータの据付用治具を用いた据付方法であって、据付用治具が設定された踏段を移動させることにより、工事の進行に合わせて順次内側板の基準位置を移動させるようにしたものである。
【発明の効果】
【００１７】
この発明は上記のとおり構成されているので、既設のエスカレータの欄干の改修工事に限らず、エスカレータの新設工事においても以下の効果を奏する。
この発明に係る請求項１に記載のエスカレータの据付用治具によれば、既に据え付けられている前輪用レールと後輪用レールの双方に脚部を当接させて基体を立設して内側板の基準位置を設定するようにしたので、基準位置を容易かつ安定して設定することができる。
【００１８】
また、この発明に係る請求項２に記載のエスカレータの据付用治具によれば、前輪用レール及び後輪用レールのいずれか一方のレールに脚部を当接させて基体を立設することにより内側板の基準位置を設定するようにしたので、基準位置を容易に設定することができる。
【００１９】
更に、この発明に係る請求項３に記載のエスカレータの据付用治具によれば、基体を踏段の上面に位置決めをして設置することにより内側板の基準位置を設定するようにしたので、踏段は外部に露出しているものであるから、基体の踏段への設置は特に容易であり、基準位置を容易に設定することができる。
【００２０】
更にまた、この発明に係る請求項４に記載のエスカレータの据付用治具によれば、エスカレータの傾斜方向へ向けて上位と下位の２個所に基体を設置し、基体間にピアノ線を張設するようにしたものであって、ピアノ線は基体に設けられた基準位置設定部に係止すればよいので、容易に張設することができる。また、基体の設置間隔を限定することにより、他の部分における改修工事との同時並行実施も可能となり、工期の短縮化を図ることができる。
【００２１】
更にまた、この発明に係る請求項５に記載のエスカレータの据付用治具によれば、基体からエスカレータの傾斜方向へ向けてレーザ光線を発する発光体を取り付け、このレーザ光線を基準にして内側板の位置を設定するようにしたので、基体は１個所のみ設置すればよく、また、他の部分における改修工事の工事域と干渉することもないので、容易に基準位置を設定することができると共に、他の工事との同時並行実施も可能となり、工期の短縮化を図ることができる。
【００２２】
更にまた、この発明に係る請求項６に記載のエスカレータの据付方法によれば、踏段に設置された基体を、踏段を移動させることにより移動させるようにしたので、工事の進行によって作業位置を移動させる場合でも、基体を改めて設置替えをする必要はなく、工期の短縮化を図ることができる。
【発明を実施するための最良の形態】
【００２３】
以下、図面を参照して、この発明の実施の形態について説明する。なお、各図中、同一又は相当する部分には同一符号を付し、説明の重複を省いた。
実施の形態１．
図１から図５は、この発明の実施の形態１を示す。
図１はエスカレータの長手方向の縦断面図、図２は図１のＩＩ−ＩＩ線断面を矢視した断面図、図３で内側板支持具２２の斜視図、図４は据付用治具３１の斜視図、図５は据付けが完了した欄干部分を示すエスカレータの横断面図である。
【００２４】
エスカレータの本体枠３は、トラス状に構成された形鋼からなり、本体枠３の上部構成部材で傾斜方向へ延設された上枠４と、この上枠４と下枠（図示しない。）とを連結する縦枠５と、この縦枠５の中間部に取り付けられた横枠６とを主要部材とする。横枠６には前輪用レール１５が外側に、後輪用レール１８が内側に取り付けられている。図５に示したとおり、前輪１２は前輪軸１３によって踏段１１の前部に係止されると共に左右が連結されており、踏段チェーン１４に駆動されて前輪用レール１５上を転動して循環する。また、踏段１１の後部には後輪１６が後輪軸１７を介して取り付けられており、後輪用レール１８上を転動して循環する。
【００２５】
踏段１１の両側部で本体枠３に立設される内側板４１（図５に示す。）の位置を設定する据付用治具３１は、基体３２と、二分されて主脚３３と補助脚３５からなる脚部と、基体３２の頂部に取り付けられた頭部３６と、この頭部３６に形成されたスリット３６ａと、このスリット３６ａに挿通されたピアノ線３８と、このピアノ線３８を頭部３６に係止するピアノ線止具３７とからなる。
ピアノ線止具３７は、中心部にピアノ線３８が挿通される貫通穴が形成され、かつ、一方の端部に割り溝が形成されたボルトと、このボルトに螺合して上記割り溝を狭窄してピアノ線３８を挟持させるナットで構成されている。
スリット３６ａには、図４に示すとおり、ピアノ線３８を係止する位置が示されており、この位置にピアノ線３８を係止することにより、内側板支持具２２の設置位置、延いては内側板４１の基準位置を設定することができる。従って、ピアノ線３８及びピアノ線止具３７は、位置設定手段として機能するものである。
【００２６】
据付用治具３１を設定するには、主脚３３の下面を、前輪用レール１５の傾斜部で転動面１５ａに当接させ、補助脚３５の下面を、後輪用レール１８の傾斜部で転動面１８ａに当接させ、かつ、主脚３３の側面を、転動面１５ａの側縁から直立する前輪用レール１５のフランジ１５ｂに当接させて基体３２を立設した後、固定具３４にボルト３４ａを螺合させて基体３２を固定する。次に、スリット３６ａの所定位置にピアノ線３８を通してピアノ線止具３７で係止して張設する。
【００２７】
据付用治具３１を設定したならば、図３に示したとおり、張設されたピアノ線３８が内側板支持具２２の受底２２ａの上枠４側の角に変形することなく接するように、内側板支持具２２を調整ボルト２８で設定する。更に、ピアノ線３８を符号３８′で示したとおり上方へ移動し、内側板支持具２２の内側壁に変形することなく接するように調整ボルト２８で内側板支持具２２の左右方向の倒れを矯正した後、取付ボルト２９でブラケット２１に内側板支持具２２を固定する。
他の区間についても同様に据付用治具３１を設定して内側板支持具２２を順次所定位置に固定する。
【００２８】
内側板支持具２２の設定が終了したならば、図５に示したとおり、内側板４１を内側レッジ４５と共に内側板支持具２２に挿入し、スペーサ２５を介して固定ボルト２４で固定して立設する。内側板４１の頂部にはデッキボード４３を取り付け、更に移動手摺４２を取り付ける。内側板４１の下部の外側にはデッキボード４４を取り付け、更に外側板４７を取り付ける。内側レッジ４５から踏段１１の側部にスカートガード４６を垂設すると欄干の据付工事は終了する。
【００２９】
上記実施の形態１によれば、前輪用レール１５に主脚３３を、後輪用レール１８に補助脚３５を当接させて、かつ、主脚３３の側面を、前輪用レール１５のフランジ１５ｂに当接させた後、固定具３４とボルト３４ａで基体３２を固定するようにしたので、基体３２を容易かつ安定して設定することができる。
また、基体３２を立設し固定したならば、スリット３６ａにピアノ線３８を通してピアノ線止具３７で係止することにより張設するようにしたので、ピアノ線３８の張設も容易である。
上記基体３２の立設とピアノ線３８の張設により、据付用治具３１の立設、延いては、内側板の基準位置を容易かつ安定して設定することができる。
更に、基体３２の設置間隔を短小にしたので、他の部分における改修工事との同時並行実施も可能となり、工期の短縮化を図ることができる。
【００３０】
実施の形態２．
この実施の形態２は、踏段１１の上面に据付用治具５１を取り付けて内側板４１の基準位置を設定するようにしたものである。
図６及び図７は、この発明の実施の形態２を示し、図６はエスカレータの長手方向の縦断面図、図７は図６のＶＩＩ−ＶＩＩ線断面を矢視した断面図である。
据付用治具５１の基体５２を、踏段上面１１ａに載置し、この基体５２から垂下された側部当接板５４を踏段側面１１ｂに当接させて基体５２の左右方向の位置決めをする。基体５２から垂下された後部当接板５３を踏段後端１１ｃに当接させて基体５２の前後方向の位置決めをする。
基体５２の位置が設定されたならば、側部当接板５４と一体で構成されて、踏板下に潜入する固定具５５にボルト５６を螺合させて、踏板を挟持させて基体５２を固定する。
２個所の踏段１１に、それぞれ基体５２を固定した後、実施の形態１と同様に、頭部に形成されたスリット５２ａにピアノ線３８を挿通してピアノ線止具３７で挟持して張設する。
【００３１】
据付用治具５１を設定したならば、図３に示したとおり、張設されたピアノ線３８が内側板支持具２２の受底２２ａの上枠４側の角に変形することなく接するように、内側板支持具２２を調整ボルト２８で設定する。更に、ピアノ線３８を符号３８′で示したとおり上方へ移動し、内側板支持具２２の内側壁に変形することなく接するように調整ボルト２８で内側板支持具２２の左右方向の倒れを矯正した後、取付ボルト２９でブラケット２１に内側板支持具２２を固定する。
他の区間について内側板支持具２２を取り付けるには、改めて据付用治具５１を踏段１１に設定するか、又は、既に据付用治具５１が設定された踏段１１を必要個所まで移動させてもよい。
【００３２】
上記実施の形態２によれば、基体５２を踏段１１の上面に位置決めをして設置することにより内側板支持具２２を設定するようにしたので、踏段１１は外部に露出するものであるから、基体５２の設置は特に容易であり、内側板支持具２２の設定、延いては内側板４１の基準位置を容易に設定することができる。
また、基体５２の設置間隔を限定することにより、他の部分における工事との同時並行実施も可能となり、工期の短縮化を図ることができる。
特に、工事の進行に伴って工事個所が変わっても据付用治具５１が設定された踏段１１を必要個所まで移動させれば、改めて据付用治具５１を設置する必要がないので、工期の短縮化を図ることができる。
【００３３】
実施の形態３．
図８は実施の形態３を示す。図において、主脚３３及び補助脚６５を、いずれも前輪用レール１５の傾斜部で転動面１５ａに当接させ、かつ、主脚３３の側面を、転動面１５ａから直立する前輪用レール１５のフランジ１５ｂに当接させて据付用治具６１の基体３２を立設し、この基体３２の頭部６６に形成された切欠き６６ａに発光体６７を挿入して取り付けてエスカレータの傾斜方向へ向けて平行にレーザ光線６８を発生させ、このレーザ光線６８によって内側板支持具２２の設定、延いては内側板４１の基準位置を設定するようにしたものである。
なお、基体３２は、前輪用レール１５に立設されるものとしたが、後輪用レール１８に立設してもよい。
また、補助脚６５を省いて主脚３３のみであってもよい。
【００３４】
上記実施の形態３によれば、前輪用レール１５及び後輪用レール１８のいずれか一方の転動面１５ａ、１８ａに主脚３３を当接させて据付用治具６１の基体３２を立設することにより内側板支持具２２を設定するようにしたので、基準位置を更に容易に設定することができる。
また、レーザ光線６８を基準にして内側板支持具２２を設定するようにしたので、基体３２は１個所のみ立設すればよいので、基準位置の設定は容易になると共に、他の部分における工事の工事域と干渉することもないので、工事の同時並行実施も可能となり、工期の短縮化を図ることができる。
【図面の簡単な説明】
【００３５】
【図１】この発明の実施の形態１における据付用治具３１を取り付けたエスカレータの長手方向の縦断面図。
【図２】図１のＩＩ−ＩＩ線断面を矢視した断面図。
【図３】固定された内側板支持具２２の斜視図。
【図４】レール１５、１８に取り付けられた据付用治具３１の斜視図。
【図５】据付けの完了した欄干部分を示すエスカレータの横断面図。
【図６】この発明の実施の形態２における据付用治具５１を取り付けたエスカレータの長手方向の縦断面図。
【図７】図６のＶＩＩ−ＶＩＩ線断面を矢視した断面図。
【図８】この発明の実施の形態３におけるレール１５に取り付けられた据付用治具６１の斜視図。
【図９】改修前のエスカレータの部分正面図。
【図１０】欄干部分を改修した後のエスカレータの部分正面図。
【図１１】従来の据付用治具を取り付けたエスカレータの長手方向の縦断面図。
【図１２】従来の据付用治具を構成するゲージ２３の側面図。
【図１３】従来の据付用治具を構成するゲージ２３の正面図。
【符号の説明】
【００３６】
３  本体枠、  ４  上枠、  ５  縦枠、  ６  横枠、  １１  踏段、  １１ａ  踏段上面、  １１ｂ  踏段側面、  １１ｃ  踏段後端、  １２  前輪、  １３  前輪軸、  １５  前輪用レール、  １５ａ  転動面、  １５ｂ  フランジ、  １６  後輪、  １７  後輪軸、  １８  後輪用レール、  １８ａ  転動面、  １８ｂ  フランジ、  ２１  ブラケット、  ２２  内側板支持具、  ２２ａ  受底、  ２４  固定ボルト、  ２５  スペーサ、  ２８  調整ボルト、  ２９  取付ボルト、  ３１  据付用治具、  ３２  基体、  ３３  主脚、  ３４  固定具、  ３４ａ  ボルト、  ３５  補助脚、  ３６  頭部、  ３６ａ  スリット、  ３７  ピアノ線止具、  ３８  ピアノ線、  ４１  内側板、  ４２  移動手摺、  ４３  デッキボード、  ４４  デッキボード、  ４５  内側レッジ、  ４６  スカートガード、  ４７  外側板、  ５１  据付用治具、  ５２  基体、  ５２ａ  スリット、  ５３  後部当接板、  ５４  側部当接板、  ５５  固定具、  ５６  ボルト、  ６５  補助脚、  ６６  頭部、  ６６ａ  切欠き、  ６７  発光体、  ６８  レーザ光線。
【図１】
2005162346.tif 000003
【図２】
2005162346.tif 000004
【図３】
2005162346.tif 000005
【図４】
2005162346.tif 000006
【図５】
2005162346.tif 000007
【図６】
2005162346.tif 000008
【図７】
2005162346.tif 000009
【図８】
2005162346.tif 000010
【図９】
2005162346.tif 000011
【図１０】
2005162346.tif 000012
【図１１】
2005162346.tif 000013
【図１２】
2005162346.tif 000014
【図１３】
2005162346.tif 000015